(57)【要約】【課題】  最近のナイフなど凶器を使用した通り魔事件で、無辜の人が羊のように逃げ惑いナイフで突き刺される事件が頻発している。現状にかんがみ、傘を護身用具として兼用機能を加えた傘の柄を提供する。【解決手段】  傘の柄につばを取り付け、つばに複数の穴を設け、柄の後端部に支持ひもを取り付け、傘袋にひも等の連結片を設け、つばに傘袋を連結片で固定出来るように工夫したことを特徴とした傘の柄。【選択図】図６
2010075642.tif 000002
【特許請求の範囲】
【請求項１】
傘の柄につばを取り付け、つばに複数の穴を設け、柄の後端部に支持ひもを取り付け、傘袋に設けた連結片でつばに専用傘袋として常備し、市販の傘の柄との互換性を得るため、本発明の傘の柄と傘本体との結合構造を、共通部品のネジを利用したネジ込み式にしたことを特徴とした護身用の傘の柄。
【発明の詳細な説明】
【技術分野】
【０００１】  本発明は、傘を護身用具としても使用できるように傘の柄につばを設けた傘の柄に関するものである。
【背景技術】
【０００２】  従来の傘の柄は、傘を保持する握り手として作られている。形も円筒形、方形及びＪ形の柄など、長さも５ｃｍから１０ｃｍ以上と様々である。折り畳み傘の傘の柄は、収納に便利なようにと傘の柄は短く出来ている。また、傘の柄の多くは、傘の柄が交換出来るように、ネジ込み式となっている。【０００３】  傘は、雨用、日除け用としての用途があるが、９０ｃｍ以上の長さ、重量、頑丈な作り、先端の形状から時には槍のような凶器となることも知られている。また、折り畳み傘は、コンパクト化されているが、基本的には長さ３０ｃｍ、重さ０．２ｋｇ、直径２．５ｃｍのスチールの束から出来ており防刃性能を有する。また、折り畳み傘には、傘の生地と同じ布地の傘袋が付属して、濡れた布地をまとめる役割を果たしている。
【発明の開示】
【発明が解決しようとする課題】
【０００４】  ナイフなどを使用した凶悪事件が多発しているが、寸鉄も帯びない市民は、凶器の前にはなすべき手段はなく逃げ惑うしかない。そこで、この発明は、傘の防刃性能に着目して傘を護身用具としても利用出来ないか考えた。【０００５】  折り畳み傘は、その本来の構造機能から、振り回すと自動的に伸びて、傘本体部、傘心棒部及び傘の柄の三つに分かれてしまう。この状態では、護身用具としては脆弱である。折れたり、相手に取られてしまう。
本発明は、これらの問題点を解決する為になされたものである。
【課題を解決するための手段】
【０００６】  傘の柄につばを設けた。握りの後端部に支持ひもを取り付けた。傘袋につばと結ぶ連結片を設けた。【０００７】  つばに複数の孔を開ける。傘本体に傘袋を被せて傘袋連結片を、開けたつばの穴に通して連結する。【０００８】  市販の傘の柄との互換性を得るため、本発明の傘の柄と傘本体との結合構造を、共通部品のネジを利用したネジ込み式にする。
【発明の効果】
【０００９】  傘の柄につばを設けたこと、また、つばの穴と傘袋とを利用した傘本体との連結固定、握り後端の支持ひもを取付け支持ひもに手首を通すことによって、従来の雨用、日除け用の傘の用途と共に、刃物などの凶器から身を護ることが出来るような護身用具としても利用出来るようになる。【００１０】  また、市販の傘の柄と互換性があるので、市販品の傘の柄と本発明品を交換することによって、雨具が護身用具に変わり、市民誰でもがこの傘を携行しておれば、通り魔事件に対応出来るようになる。【００１１】  また、従来、折り畳み傘は、鍵付きの傘立てには使用出来なかったが、傘の柄につばを設けることによって、鍵付きの傘立てに入れても、つばがひかかって抜け落ちず使用出来るようになる。【００１２】  また、折り畳み傘は、従来かばんなどに収納し、雨が降っても直ぐ取り出せない状態であるが、発明品にはつばがあるので、紐状物を使用してかばんなどの持ち手にぶら下げることが出来るほか、取り出しも簡単になる。また、傘の直径より大きいリングを紐状物代わりに使用すれば、警棒のように抜き差しが容易となる。【００１３】  雨の日、傘置き場では傘の取り違いが頻発している。これは、個人の傘の識別を、傘の色などの色調で行ってきたことによる。本発明で、つばの形状、色調及びつばの穴の形などを変えて各種の製品を作製すれば、傘の色調の他、つばでも個人の傘の特定が出来るようになり、傘の取り違えが無くなる。【００１４】  また、従来の構造では、雨が激しく振ったり、長時間傘をさしていると、傘心棒部を伝わって雨滴が、手の中に滲み込んでしまうことがあるが、本発明では、つばがあり雨の雫が直接手の内にしみこむことがなくなる。【００１５】  また、折り畳み傘の傘袋は、よく紛失することがある。これは、折り畳み傘の傘袋は、外しても傘自体に収納するところがない。このためカバンや、ポケットに入れたり、手に持ったり、傘を吊るす傘の柄ホルダーに巻き付けたりしているが、そのうち落としてしまう。本発明の傘は、つばを有し複数のつばの穴がある。傘袋の連結片をつばの穴に通して連結しておけば、雨などで外した傘袋を紛失することがない。
【発明を実施するための最良の形態】
【００１６】  以下、本発明の実施の形態について説明する。
（イ）円柱の柄は、握り部及びつば固定部からなる。つば固定部は、柄の約九分の一の長さで直径も握り部よりわずかに少ない。つば固定部に、複数の穴を設けたつば（１）を通して握り部先端に押し込む。次に、つば固定材（６）をつば固定部に押し込んでつば（１）を固定する。つばとの間にはパッキンを入れて、つば（１）との密着化を図る。また、つばを交換する必要がある場合には、つば固定材（６）をビス止めまたは目釘等でつば固定部に装着する。
（ロ）柄の握り（３）後端に、支持ひも止め具（４）で、支持ひも（５）を取り付ける。  なお支持ひもの形状は、中に手首が入る大きさの輪とする。
（ハ）柄と傘本体部との結合部は市販共通部品のネジ込み式にする。
（ニ）傘袋は、傘本体のエッジが当たる部分、下部に当て布をして補強するほか、上部に  ひも状の連結片（１３）を取り付ける。なお、連結片（１３）は、長さの異なる傘本体  をつば（１）で固定することが出来る長さとする。
本発明は以上のような構成で、これを使用する時は、図（１）のつば（１）は、円形であるが、正方形、長方形、ひし形、十字形など考えられ、また、つばの穴（２）は、図（１）では半円形であるが、円形、正方形、ひし形、ハート形、星型などが考えられ、つば（１）の色、形、つばの穴（２）の形及び数が、傘の所有者の目印になる。【００１７】  手を傘の柄に密着させるため、また傘を振り回して落とさないように、握り（３）の後端に支持ひも（５）を支持ひも止め具（４）で固定する。使用する際には、手首を支持ひも（５）の輪に通して握り（３）を握れば傘と手が一体化する。【００１８】  一般的に、折り畳み傘の傘の柄と傘の本体との結合は、傘本体に図（３）に示す傘の柄をねじ込む構造になっている。結合部はネジで出来ている。図（２）は、本発明品の断面図を示す。傘心棒部雌ネジ（７）は、図（４）の傘心棒部雄ネジ（１１）に適合している。雨具などの傘を護身用具に変えるには雨具などの傘から図（３）に示す傘の柄を取り外して、本発明の傘の柄、図（１）をネジ込み交換する。【００１９】  図（５）は、図（１）で示した本発明品の傘の柄に常備している発明品専用の傘袋である。使用するには、図（１）の本発明品の傘の柄に交換した傘に、連結片付傘袋（１２）を被せ、本発明品図（１）のつばの穴（２）に連結片（１３）を通して連結して、傘本体と傘の柄をしっかり固定する。なお、本発明品専用の傘袋を使用しないで、傘付属の傘袋を使用する場合には、袋をかぶったままの状態で、そのまま、つばに常備してある専用傘袋に入れてセットすればよい。【００２０】  図（６）は、折り畳み傘が護身用具となった全体像を示す。支持ひも（５）を手首に通して、握り（３）を握れば、二刀竹刀の小刀の形状及び機能を有する。これで、相手の手首やナイフを叩くことが出来る。【００２１】  つばの穴（２）は、連結片（１３）を通して傘本体と傘の柄を固定する目的、穴の形から傘の所有者を特定する目的があるが、更に、連結片付傘袋（１２）を結びつけて常備することで、傘袋の紛失を防ぐ三つの目的がある。【００２２】  傘の柄につばを設けたことによって、従来カバンの中に収納していた傘が目に見えるところで携帯出来、いつでも使用出来るようなる。図（７）は、本発明品を携行する時の要領を示した図である。上段の図は、紐状物の輪（１４）を折り畳んで二つの輪を作り一つの輪の先に傘を差し込んだ図である。下段の図は、吊下げ具（１５）を付けたリング（１６）を使用してリングに傘を差し込んだ図である。
【図面の簡単な説明】
【００２３】
【図１】  本発明の斜視図
【図２】  本発明の断面図
【図３】  従来の折り畳み傘の傘の柄の斜視図
【図４】  折り畳み傘本体の斜視図
【図５】  連結片付傘袋の斜視図
【図６】  本発明の使用時の斜視図
【図７】  本発明の携行要領図
【符号の説明】
【００２４】１  つば
２  つばの穴
３  握り
４  支持ひも止め具
５  支持ひも
６  つば固定材
７  傘心棒部雌ネジ
８  傘の柄ホルダー
９  傘本体部
１０傘心棒部
１１傘心棒部雄ネジ
１２連結片付傘袋
１３連結片
１４紐状物
１５吊下げ具
１６リング
【図１】
2010075642.tif 000003
【図２】
2010075642.tif 000004
【図３】
2010075642.tif 000005
【図４】
2010075642.tif 000006
【図５】
2010075642.tif 000007
【図６】
2010075642.tif 000008
【図７】
2010075642.tif 000009